(57)【要約】【課題】音声応答機能を使用するオペレータにかかる負荷を低減し得る。【解決手段】電話通信網ＮＷを介して外線電話端末２から到来した着信呼に応じて音声応答を行う電話応答装置１において、通信制御部１０は、前記着信呼に応答して外線電話端末２との通話路を形成する。オフフック検出部１１Ｂは、操作応答部１３のオフフック状態を検出する。音声応答処理部１９は、当該オフフック状態の検出に応じて音声ファイルを再生して音声応答信号を生成しこれを前記通話路に送出する。通話制御部１０は、音声ファイルの再生の終了に応じて音声入出力部１４，１５を前記通話路に接続する。【選択図】図１
2008060655.tif 000002
【特許請求の範囲】
【請求項１】
電話通信網を介して外線電話端末から到来した着信呼に応じて音声応答を行う電話応答装置であって、
前記着信呼に応答して前記外線電話端末との通話路を形成する通信制御部と、
手動操作に応じてオフフック動作をなす操作応答部と、
音声信号を入出力する音声入出力部と、
前記着信呼の存在下において前記操作応答部のオフフック状態を検出するオフフック検出部と、
当該オフフック状態の検出に応じて音声ファイルを再生して音声応答信号を生成しこれを前記通話路に送出する音声応答処理部と、を備え、
前記通信制御部は、前記音声ファイルの再生の終了に応じて前記音声入出力部を前記通話路に接続することを特徴とする電話応答装置。
【請求項２】
請求項１記載の電話応答装置であって、前記音声応答処理部は、前記音声ファイルの再生が終了したとき、前記音声入出力部または前記表示部をして前記音声ファイルの再生終了を通知せしめることを特徴とする電話応答装置。
【請求項３】
請求項１または２記載の電話応答装置であって、前記操作応答部からの指示に応じて、前記音声入出力部で入力された音声信号を前記音声ファイルに変換して記録媒体に記録する録音処理部をさらに備えることを特徴とする電話応答装置。
【請求項４】
請求項１から３のうちのいずれか１項に記載の電話応答装置であって、前記音声応答処理部の機能を有効にするか否かを定める情報が設定された設定管理部をさらに備え、
前記音声応答処理部は、前記音声応答処理部の機能を有効にする情報が前記設定管理部に設定されている場合に限り前記音声応答信号を生成することを特徴とする電話応答装置。
【請求項５】
電話通信網を介して外線電話端末から到来した着信呼に応じて複数のオペレータ端末の中から一の選択端末を決定し、当該選択端末に前記着信呼を転送する呼分配制御を実行する電話応答システムであって、
当該転送された着信呼に応じて前記選択端末のオフフック状態を検出するオフフック検出部と、
当該オフフック状態の検出に応じて音声ファイルを再生して音声応答信号を生成する音声応答処理部と、
前記音声応答信号を前記外線電話端末に送信する通信制御部と、
を備えることを特徴とする電話応答システム。
【請求項６】
請求項５記載の電話応答システムであって、前記音声ファイルの再生の終了に応じて、前記通信制御部は、前記選択端末と前記外線電話端末との間の通話を可能にすることを特徴とする電話応答システム。
【請求項７】
請求項５または６記載の電話応答システムであって、前記音声応答処理部は、前記音声ファイルの再生の終了を前記選択端末に通知することを特徴とする電話応答システム。
【請求項８】
請求項５から７のうちのいずれか１項に記載の電話応答システムであって、前記オペレータ端末からの録音要求に応じて、前記オペレータ端末で入力され転送された音声信号を前記音声ファイルに変換し、当該音声ファイルをオペレータの識別子または前記オペレータ端末の識別子に関連付けて記録媒体に記録する録音処理部をさらに備えることを特徴とする電話応答システム。
【請求項９】
請求項８記載の電話応答システムであって、前記音声応答処理部は、前記選択端末に対応する音声ファイルを前記記録媒体から読み出し、当該読み出された音声ファイルを再生して前記音声応答信号を生成することを特徴とする電話応答システム。
【請求項１０】
請求項５から９のうちのいずれか１項に記載の電話応答システムであって、前記音声応答処理部の機能を有効にするか否かを定める情報が設定された設定管理部をさらに備え、
前記音声応答処理部は、前記設定管理部において前記音声応答処理部の機能を有効にする情報が設定されている場合に限り、前記音声応答信号を生成することを特徴とする電話応答システム。
【発明の詳細な説明】
【技術分野】
【０００１】
本発明は、顧客からの電話に対して音声による自動応答を行う技術に関する。
【背景技術】
【０００２】
コールセンタシステムは、電話を用いた顧客対応業務を実行するためのシステムであり、近年のコールセンタシステムは、ＡＣＤ（Automatic Call Distribution：自動呼分配）機能とＩＶＲ（Interactive Voice Response：音声自動応答）機能とを有している。ＡＣＤ機能は、顧客の電話端末からの着信呼に応じて、予め定められたルールに従って複数のオペレータ端末の中から特定のオペレータ端末を選択し、当該選択されたオペレータ端末に着信呼を転送する機能である。ＩＶＲ機能は、顧客の電話端末からの着信呼を受けると、条件に応じた音声ファイルを選択し、当該選択された音声ファイルを再生することができる。たとえば、ＩＶＲ機能は、顧客の電話端末からの呼に応答して、「コールセンタの担当者におつなぎします。しばらくお待ちください。」といった定型的な案内音声を自動的に送出することが可能である。この種のＡＣＤ機能とＩＶＲ機能に関する従来技術は、たとえば、特許文献１（特開２００４−２５３９１３号公報）に開示されている。
【特許文献１】特開２００４−２５３９１３号公報
【発明の開示】
【発明が解決しようとする課題】
【０００３】
コールセンタのオペレータは、限られた時間内に多数の顧客からの電話に対応しなければならないので、オペレータにかかる負荷は大きい。そこで、オペレータの発話量を削減して負荷を軽減させるために、各オペレータ端末は、オペレータによる入力操作に応じて録音音声を自動再生する音声応答機能を持つことができる。たとえば、オペレータ端末は、オペレータによるボタン押下に応じて、「ＡＢＣ会社コールセンタ担当のＺです。」、「はい、内線１２３番です。」あるいは「コールセンタ担当のＺです。しばらくお待ちください。」といった予め用意された録音音声を再生してこれを送出することが可能である。
【０００４】
しかしながら、オペレータは、顧客からの電話を受ける度にボタン押下などの入力操作を実行しなければならず、短時間に多数の電話に対応しなければならない状況では、そのような入力操作がオペレータにとって負荷になるという問題がある。
【０００５】
また、一台々々のオペレータ端末に前記の如き音声応答機能を組み込む場合には、コールセンタシステムは全てのオペレータ端末の音声応答機能を一元管理することが難しい。たとえば、「ＡＢＣ会社コールセンタ担当のＺです。」との録音音声を「ＤＥ会社コールセンタ担当のＹです。」との録音音声へ変更する場合、あるいは、「ＡＢＣ会社コールセンタ担当のＺです。」との録音音声を「製品Ｘをご提供するＡＢＣ会社コールセンタ担当のＺです。」との録音音声へ変更する場合に、各オペレータ端末に記録されている録音データをオペレータに応じて書き換えなければならず、かかる変更は手間と時間を要する煩雑な作業となるという問題がある。
【０００６】
上記に鑑みて本発明の目的の１つは、音声応答機能を使用するオペレータにかかる負荷を低減し得る電話応答装置および電話応答システムを提供することである。また、本発明の他の目的は、コールセンタにおける全てのオペレータ端末の音声応答機能を一元管理し得る電話応答システムを提供することである。
【課題を解決するための手段】
【０００７】
上記目的を達成すべく、本発明による電話応答装置は、電話通信網を介して外線電話端末から到来した着信呼に応じて音声応答を行う電話応答装置であって、前記着信呼に応答して前記外線電話端末との通話路を形成する通信制御部と、手動操作に応じてオフフック動作をなす操作応答部と、音声信号を入出力する音声入出力部と、前記着信呼の存在下において前記操作応答部のオフフック状態を検出するオフフック検出部と、当該オフフック状態の検出に応じて音声ファイルを再生して音声応答信号を生成しこれを前記通話路に送出する音声応答処理部と、を備え、前記通信制御部は、前記音声ファイルの再生の終了に応じて前記音声入出力部を前記通話路に接続することを特徴としている。
【０００８】
本発明による電話応答システムは、電話通信網を介して外線電話端末から到来した着信呼に応じて複数のオペレータ端末の中から一の選択端末を決定し、当該選択端末に前記着信呼を転送する呼分配制御を実行する電話応答システムであって、当該転送された着信呼に応じて前記選択端末のオフフック状態を検出するオフフック検出部と、当該オフフック状態の検出に応じて音声ファイルを再生して音声応答信号を生成する音声応答処理部と、前記音声応答信号を前記外線電話端末に送信する通信制御部と、を備えることを特徴としている。
【発明の効果】
【０００９】
上記電話応答装置によれば、電話応答装置の利用者にとって、電話を受ける度に音声応答信号を再生するためのボタン押下やキー入力などの入力操作をせずに済み、音声応答信号の再生終了後、スムーズに相手先からの電話に対応することができるので、電話応答装置の利用者にかかる負荷の軽減が可能になる。
【００１０】
上記電話応答システムによれば、オペレータ端末の利用者であるオペレータにとって、電話を受ける度に音声ファイルを再生するためのボタン押下やキー入力などの入力操作をせずに済むので、オペレータにかかる負荷の軽減と顧客対応能力の向上が可能になる。
【発明を実施するための最良の形態】
【００１１】
以下、本発明に係る種々の実施例について説明する。
【００１２】
＜第１実施例＞
図１は、本発明に係る第１実施例の電話応答装置１の概略構成を示す機能ブロック図である。電話応答装置１は、通信制御部１０、信号処理部１１、表示部１２、操作応答部（入力操作部）１３、音声出力部１４および音声入力部１５を有しており、これら構成要素１０〜１５で電話機能が構成される。
【００１３】
通信制御部１０は、音声電話またはテレビ電話のための通話路を形成する通信制御機能を有する。電話通信網ＮＷは、公衆電話回線網、あるいはＩＰ（インターネット・プロトコル）技術を用いたパケット交換網である。図１に示されるように、外線電話端末である電話端末２と電話応答装置１とは電話通信網ＮＷに接続されている。電話端末２としては、たとえば、固定電話、携帯電話、船舶電話または衛星電話が挙げられる。
【００１４】
信号処理部１１は、送信すべき音声データを圧縮符号化する機能と、通信制御部１０で受信された圧縮符号化信号を復号化する機能とを有する。また信号処理部１１は、設定管理部１１Ａの不揮発性メモリ（図示せず）に記録された設定値に基づいて後述の音声応答処理を制御する機能をも有している。
【００１５】
操作応答部１３は、入力キー、ボタンおよび切替スイッチを有しており、ユーザーにより入力されたデータや指示を信号処理部１１に転送する。ユーザーは操作応答部１３を手動操作して、相手先の電話番号の入力、オフフックあるいはオンフックなどの操作を実行できる。表示部１２は、ＬＣＤ（Liquid Crystal Display：液晶ディスプレイ）やＥＬＤ（エレクトロルミネッセントディスプレイ）などの小型表示装置若しくはＬＥＤなどの表示ランプを備え、信号処理部１１から転送されたデータを表示する機能を有する。表示部１２では、たとえば、現在時刻、電話応答装置１の現在の動作状態、あるいは操作応答部１３で入力されたデータの内容が表示される。
【００１６】
音声出力部１４は、信号処理部１１からの音声信号を音波に変換するスピーカー、あるいは、信号処理部１１から転送された音声信号を外部スピーカー（図示せず）に出力するインターフェース部である。音声入力部１５は、音波を音声信号（電気信号）に変換するマイクロフォン、あるいは、外部装置（図示せず）から受信した音声信号を信号処理部１１に転送するインターフェース部である。
【００１７】
ユーザーは、電話応答装置１に自己の発話音声を記録することができる。図１を参照すると、電話応答装置１は、録音処理部１６および音声記録部１７を有しており、録音処理部１６は、信号処理部１１からの命令に応じて、音声入力部１５で入力され転送された音声信号を音声ファイルに変換し、その音声ファイルを使用目的に関連づけて、不揮発性メモリなどの記録媒体である音声記録部１７に記録する機能を有する。ユーザーは、操作応答部１３を手動操作して録音の開始と終了とを信号処理部１１に指示することができる。信号処理部１１は、その録音の開始指示に応じて録音処理部１６に録音を開始させ、その録音の終了指示に応じて録音処理部１６に録音を終了させる。
【００１８】
通信制御部１０が電話端末２から着信呼を受信すると、信号処理部１１は、音声応答処理部１８と協働して音声応答処理を実行する。以下、図２を参照しつつ音声応答処理について説明する。図２は、音声応答処理の手順の一例を概略的に示すフローチャートである。
【００１９】
図２を参照すると、信号処理部１１は、通信制御部１０が電話端末２から着信呼を受信するまで待機している。通信制御部１０が電話端末２から着信呼を受信したとき（ステップＳ１０）、信号処理部１１は、音声出力部１４に呼出音信号を与えるか、あるいは表示部１２に呼出表示信号を与えることで（ステップＳ１１）、音声出力部１４に呼出音を出力させ、あるいは表示部１２に呼出メッセージを表示させる。その呼出音または呼出メッセージに応じてユーザーが操作応答部１３を手動操作して操作応答部１３がオフフック動作をなせば、信号処理部１１のオフフック検出部１１Ｂは、操作応答部１３のオフフック状態を検出する（ステップＳ１２）。
【００２０】
前記ステップＳ１２において、所定回数または所定時間の間、音声出力部１４に呼出音を出力させ、あるいは表示部１２に呼出メッセージを表示させても、オフフック検出部１１Ｂが操作応答部１３のオフフック状態を検出しなかった場合は、信号処理部１１は、タイムアウトと判定し（ステップＳ１３）、呼出音信号または呼出表示信号の供給を停止する（ステップＳ１４）。そして信号処理部１１は音声応答処理を終了させる。
【００２１】
一方、前記ステップＳ１２において、オフフック検出部１１Ｂが操作応答部１３のオフフック状態を検出した場合、信号処理部１１は、設定管理部１１Ａに記録された設定情報を参照し、この設定情報に基づいて音声応答処理部１８の機能が有効なのか否かを判定する（ステップＳ１５）。ユーザーは、操作応答部１３を操作して設定管理部１１Ａの設定情報を書き換えることが可能である。ステップＳ１５で信号処理部１１が音声応答処理部１８の機能が有効でないと判定したとき、通信制御部１０は、着信呼に応答して形成された通話路に音声入出力部１４，１５を接続することによって発呼側電話端末２との通話を可能にする（ステップＳ１８）。
【００２２】
他方、ステップＳ１５で音声応答処理部１８の機能が有効である旨判定したとき、信号処理部１１は、音声応答処理部１８にナレーション用の録音音声を再生させる（ステップＳ１６）。具体的には、音声応答処理部１８は、信号処理部１１からの再生命令に応じて、音声記録部１７から音声ファイルを読み出しこれを再生して音声応答信号を生成する。音声応答信号は、信号処理部１１と通信制御部１０を介して電話端末２に送出される。これと並行して、信号処理部１１は音声応答信号を音声出力部１４に与えるので、電話応答装置１の利用者であるオペレータは、たとえば、「ＡＢＣ会社コールセンタ担当のＺです。」といった自己の録音音声を聴くことが可能である。
【００２３】
録音音声の再生が終了した後、音声応答処理部１８は、信号処理部１１を介して音声出力部１４または表示部１２に通知信号を与えることにより（ステップＳ１７）、音声出力部１４に終了音を出力させ、あるいは表示部１２に終了メッセージを表示させる。続けて、信号処理部１１は、通話路に音声入出力部１４，１５を接続することによって発呼側電話端末２との通話を可能にし（ステップＳ１８）、その後、音声応答処理を終了させる。
【００２４】
上記の通り、第１実施例の電話応答装置１は、電話端末２から到来した着信呼に応じて操作応答部１３がオフフック動作をなしたとき、そのオフフック状態を検出し（ステップＳ１２）、当該検出をトリガとして予め用意した録音音声を自動的に再生し（ステップＳ１６）、録音音声の再生終了後に通話を開始させる（ステップＳ１８）。したがって、電話応答装置１の利用者であるオペレータは、顧客からの電話を受ける度に録音音声を再生するためのボタン押下やキー入力などの入力操作をせずに済み、録音音声の再生終了後、スムーズに顧客からの電話に対応することができるので、オペレータにかかる負荷の軽減と顧客対応能力の向上を図ることが可能になる。
【００２５】
なお、上記電話応答装置１の構成の全部または一部は、ハードウェアで実現されてもよいし、あるいは、ＣＰＵなどのプロセッサに処理を実行させるプログラムで実現されてもよい。たとえば、電話応答装置１の構成要素１１，１６〜１８は、ＰＣ（パーソナル・コンピュータ）のＣＰＵに処理を実行させるプログラムにより実現され得る。また、表示部１２にはＰＣに接続されたモニター装置を使用し、操作応答部１３にはＰＣに接続されたキーボードおよびポインティングデバイスを使用することができる。音声出力部１４と音声入力部１５としては、ＰＣに有線接続または無線接続されたヘッドセットを使用できる。設定管理部１１Ａのメモリ部分には、ＰＣに搭載されたハードディスクを使用することが可能である。
【００２６】
＜第２実施例＞
図３は、本発明に係る第２実施例の音声応答システム（コールセンタサーバ）２０の概略構成を示す機能ブロック図である。音声応答システム２０は、通信制御部２１、ＩＶＲ（Interactive Voice Response）制御部２２、信号処理部２３、ＡＣＤ（Automatic Call Distribution）制御部２４、設定管理部２５およびＬＡＮインターフェース部（ＬＡＮＩ／Ｆ部）３０を有する。なお、ＩＶＲ制御部２２は、本発明に係る電話応答システムの「音声応答処理部」に相当するものである。電話通信網ＮＷは、公衆電話回線網、あるいはＩＰ（インターネット・プロトコル）技術を用いたパケット交換網であればよい。図３に示されるように、外線電話端末である電話端末２と通信制御部２１とは電話通信網ＮＷに接続されている。電話端末２としては、たとえば、固定電話、携帯電話、船舶電話または衛星電話が挙げられる。
【００２７】
音声応答システム２０は、ＬＡＮインターフェース部３０を介してＬＡＮ４０と接続されており、ＬＡＮ４０には複数のオペレータ端末４１1〜４１N（ここで、Ｎは２以上の整数）が接続されている。オペレータ端末４１1〜４１Nの各々には、オペレータが割り当てられる。また、オペレータ端末４１1〜４１Nの各々は、キーボードやポインティングデバイスなどの操作応答部（ＯＰ）と、スピーカー、マイクロフォンおよびディスプレイなどの入出力部（Ｉ／Ｏ）とを備えており、オペレータは、これら操作応答部（ＯＰ）と入出力部（Ｉ／Ｏ）を用いて顧客からの電話に対応することができる。
【００２８】
通信制御部２１は、電話端末２から到来した呼に応じて、オペレータ端末の呼び出し、応答、通話路の形成および通話路の切断などのシーケンスを制御する呼制御機能を有している。電話通信網ＮＷがパケット交換網である場合には、通信制御部２１は、ＩＥＴＦ（Internet Engineering Task Force）の技術仕様であるＳＩＰ（Session Initiation Protocol）や、ＩＴＵ−Ｔ（ITU Telecommunication Standardization Sector：国際電気通信連合・電気通信標準化部門）勧告のＨ．３２３などの呼制御プロトコルを使用することができる。
【００２９】
ＡＣＤ制御部２４は、電話端末２から着信呼を受信すると、端末管理テーブル（図示せず）を参照しつつオペレータ端末４１1〜４１Nを検索して待機中の端末のいずれかを選択する。次いで、通信制御部２１は、当該選択された端末４１j（ｊは１〜Ｎのいずれか）に着信呼を転送して選択端末４１jを呼び出す。通信制御部（通話制御部）２１は、かかる呼び出しに選択端末４１jが応答すれば、後述する音声応答処理の後に、当該選択端末４１jと電話端末２との間の通話を可能にする。信号処理部２３は、相手先の端末に送信されるべき音声データに圧縮符号化等の信号処理を施したり、相手先の端末から受信した符号化データに復号化等の信号処理を施したりする機能を有する。
【００３０】
また音声応答システム２０は、録音処理部２７および音声記録部２８を有している。録音処理部２７は、オペレータ端末４１i（ｉは１〜Ｎのいずれか）からの録音要求に応答して、オペレータ端末４１iから転送された音声信号から音声ファイルを生成し、当該音声ファイルをオペレータ端末４１iの識別子またはオペレータの識別子に関連づけて音声記録部２８の記録媒体に記録する機能を有する。
【００３１】
上記構成を有する音声応答システム２０の動作を図４を参照しつつ以下に説明する。図４は、音声応答システム２０による音声応答処理の手順の一例を概略的に示すフローチャートである。図４を参照すると、通信制御部２１が電話端末２から着信呼を受信すると（ステップＳ４０）、ＡＣＤ制御部２４は、オペレータ端末４１1〜４１Nの中から待機中のオペレータ端末４１jを選択する（ステップＳ４１）。次いで、通信制御部２１は、当該選択端末４１jに着信呼を転送して当該選択端末４１jを呼び出す（ステップＳ４２）。この呼び出しに応じて選択端末４１jは、自己の入出力部（Ｉ／Ｏ）を通じて、呼出音の鳴動または呼出メッセージの表示を行うことでオペレータに呼び出しを通知することができる。オペレータは、かかる通知に応答する場合には、選択端末４１jの操作応答部（ＯＰ）を手動操作して操作応答部をオフフック動作させることができる。操作応答部（ＯＰ）がオフフック動作をなしたとき、選択端末４１jは、当該オフフック動作を示す状態信号を音声応答システム２０に転送し、音声応答システム２０のオフフック検出部２９はその状態信号に基づいて操作応答部（ＯＰ）のオフフック状態を検出することができる。
【００３２】
オフフック検出部２９は、選択端末４１jへの着信呼の転送後、所定時間内に選択端末４１jにオフフック状態が発生したか否かを検出する（ステップＳ４３）。この検出結果はＩＶＲ制御部２２に与えられる。所定時間内に選択端末４１jのオフフック状態を検出できなかった場合には、オフフック検出部２９はタイムアウトと判定する（ステップＳ４４）。この判定結果に応じて通信制御部２１は終了処理を行い（ステップＳ４５）、その後、音声応答処理を終了させる。
【００３３】
一方、ステップＳ４３でオフフック検出部２９が選択端末４１jのオフフック状態を検出した場合、ＩＶＲ制御部２２は、当該検出結果に応じて、設定管理部２５に記録された設定情報を参照し、この設定情報に基づいて選択端末４１jに対する音声応答機能が有効であるか否かを判定する（ステップＳ４６）。なお、オペレータは、音声応答システム２０にログインした後、選択端末４１jを操作して当該選択端末４１jについて音声応答機能を「オン」（有効）または「オフ」（無効）のいずれか一方を選択することができる。この選択結果は、音声応答システム２０の設定管理部２５に転送され記録される。
【００３４】
前記ステップＳ４６で選択端末４１jに関する音声応答機能が無効であると判定したとき、ＩＶＲ制御部２２は音声応答処理を実行しない。また、当該判定結果を受けた通信制御部２１は、電話端末２と選択端末４１jとの間の通話を可能にし（ステップＳ５０）、その後、音声応答処理を終了させる。
【００３５】
一方、前記ステップＳ４６で選択端末４１jに関する音声応答機能が有効であると判定したとき、ＩＶＲ制御部２２は、さらに音声記録部２８を参照して選択端末４１jに対応する音声ファイルが記録されているかを判定する（ステップＳ４７）。上述の通り、オペレータは、音声応答システム２０にログインした後、選択端末４１jを操作して選択端末４１jから音声応答システム２０へ録音要求を発し、自己の発話音声を選択端末４１jの入出力部（Ｉ／Ｏ）に入力することができる。入出力部（Ｉ／Ｏ）に入力された音声信号は、音声応答システム２０に転送され、録音処理部２７によって音声ファイルに変換された後に音声記録部２８に記録される。このように選択端末４１jのオペレータは、業務開始前に、予め自己の録音音声を音声応答システム２０に記録することが可能である。
【００３６】
前記ステップＳ４７において、ＩＶＲ制御部２２が選択端末４１jに対応する音声ファイルが音声記録部２８に記録されていないと判定したとき、当該判定結果を受けた通信制御部２１は、電話端末２と選択端末４１jとの間の通話を可能にし（ステップＳ５０）、その後、音声応答処理を終了させる。
【００３７】
一方、前記ステップＳ４７において選択端末４１jに対応する音声ファイルが音声記録部２８に記録されていると判定したとき、ＩＶＲ制御部２２は、その音声ファイルを音声記録部２８から選択的に読み出し、当該読み出された音声ファイルを再生して音声応答信号を生成する（ステップＳ４８）。この音声応答信号は、通信制御部２１により電話端末２に送信される。
【００３８】
その後、音声ファイルの再生が終了したとき、ＩＶＲ制御部２２はその再生の終了を選択端末４１jに通知する（ステップＳ４９）。かかる通知を受信した選択端末４１jは、終了音をスピーカーから出力したり、終了メッセージをディスプレイに表示したりして音声ファイルの再生が終了した旨をオペレータに報知する。続けて、通信制御部２１は、電話端末２と選択端末４１jとの間の通話を可能にし（ステップＳ５０）、その後、音声応答処理を終了させる。
【００３９】
上記の通り、第２実施例の音声応答システム２０は、外線電話端末２から到来した着信呼に応じて選択端末４１jがオフフック動作をなしたとき、そのオフフック状態を検出し（ステップＳ４３）、当該検出をトリガとして選択端末４１jに対応した録音音声を自動的に再生し（ステップＳ４８）、録音音声の再生終了後に通話を可能にする（ステップＳ５０）。したがって、選択端末４１jの利用者であるオペレータは、顧客からの電話を受ける度に録音音声を再生するためのボタン押下やキー入力などの入力操作をせずに済み、録音音声の再生終了後、スムーズに顧客からの電話に対応することができるので、オペレータにかかる負荷の軽減と顧客対応能力の向上を図ることが可能になる。
【００４０】
また、音声応答システム２０は、オペレータ端末４１1〜４１Nの各々に対応する録音音声を音声記録部２８に記録する録音処理部２７を有するので、録音音声を一元管理することができる。したがって、オペレータ端末４１1〜４１Nに対応する録音音声をオペレータ自身が簡便に且つ短時間で記録あるいは更新することが可能である。
【００４１】
なお、上記音声応答システム２０の構成の全部または一部は、ハードウェアで実現されてもよいし、あるいは、ＣＰＵなどのプロセッサに処理を実行させるプログラムで実現されてもよい。たとえば、音声応答システム２０の構成要素２２〜２５，２７，２９は、サーバのプロセッサに処理を実行させるプログラムにより実現することができる。構成要素２２〜２５，２７，２９を実現するためのプログラムは、単一のサーバに組み込まれてもよいし、あるいは複数のサーバに分散して組み込まれてもよい。
【図面の簡単な説明】
【００４２】
【図１】本発明に係る第１実施例の電話応答装置の概略構成を示す機能ブロック図である。
【図２】音声応答処理の手順の一例を概略的に示すフローチャートである。
【図３】本発明に係る第２実施例の音声応答システム（コールセンタサーバ）の概略構成を示す機能ブロック図である。
【図４】音声応答システムによる音声応答処理の手順の一例を概略的に示すフローチャートである。
【符号の説明】
【００４３】
１  電話応答装置
２  電話端末（外線電話端末）２
１０  通信制御部
１１  信号処理部
１１Ａ  設定管理部
１１Ｂ  オフフック検出部
１３  操作応答部
１４  音声出力部
１５  音声入力部
１８  音声応答処理部
２０  音声応答システム（コールセンタサーバ）
２１  通信制御部
２２  ＩＶＲ（Interactive Voice Response）制御部
２４  ＡＣＤ（Automatic Call Distribution）制御部
２６  音声応答処理部
２９  オフフック検出部
【図１】
2008060655.tif 000003
【図２】
2008060655.tif 000004
【図３】
2008060655.tif 000005
【図４】
2008060655.tif 000006